(57)【要約】【課題】  緊急警報を発生から即座に送出することの可能なＴＳ切替装置を提供すること。【解決手段】  実施形態によれば、ＴＳ切替装置は、複数系統のＴＳ（Transport Stream）信号を入力され、切替部と、遅延部と、検出部と、バイパス処理部と、多重部とを具備する。切替部は、複数系統のＴＳ信号のうちいずれかの系統のＴＳ信号を切替出力する。遅延部は、ＴＳ信号の切替部への入力前段において系統ごとのＴＳ信号のタイムスロットを揃える。検出部は、少なくとも出力される系統のＴＳ信号に含まれるＴＳパケットごとに緊急情報の有無を検出する。バイパス処理部は、検出部により緊急情報を検出されたＴＳパケットを、遅延部を経由しない経路にバイパスさせる。多重部は、バイパスされたＴＳパケットを、遅延部を経由したＴＳ信号に多重する。【選択図】  図１
2013005401.tif 000002
【特許請求の範囲】
【請求項１】
複数系統のＴＳ（Transport Stream）信号を入力されるＴＳ切替装置において、
前記複数系統のＴＳ信号のうちいずれかの系統のＴＳ信号を切替出力する切替部と、
前記ＴＳ信号の前記切替部への入力前段において前記系統ごとのＴＳ信号のタイムスロットを揃えるための遅延部と、
少なくとも出力される系統のＴＳ信号に含まれるＴＳパケットごとに緊急情報の有無を検出する検出部と、
前記検出部により前記緊急情報を検出されたＴＳパケットを、前記遅延部を経由しない経路にバイパスさせるバイパス処理部と、
前記バイパスされたＴＳパケットを、前記遅延部を経由したＴＳ信号に多重する多重部とを具備する、ＴＳ切替装置。
【請求項２】
前記多重部は、前記バイパスされたＴＳパケットを、前記遅延部を経由したＴＳ信号において同じタイムスロットに並ぶＴＳパケットと差し替える、請求項１に記載のＴＳ切替装置。
【請求項３】
前記検出部は、前記ＴＳパケットごとにＰＭＴ（Program Management Table）を解析して緊急警報記述子の有無を検出し、
前記バイパス処理部は、前記解析の結果に基づいて、緊急警報に関連するＰＩＤ（Packet Identifier）を含むＴＳパケットを、前記遅延部を経由しない経路にバイパスさせる、請求項１に記載のＴＳ切替装置。
【請求項４】
前記検出部は、前記ＴＳパケットごとに、ＩＩＰ（ISDB-T Information Packet）情報およびＴＭＣＣ（Transmission and Multiplexing Configuration and Control）情報の少なくとも一方を解析して緊急警報放送フラグの有無を検出し、
前記バイパス処理部は、前記解析の結果に基づいて、緊急警報に関連するＰＩＤ（Packet Identifier）を含むＴＳパケットを、前記遅延部を経由しない経路にバイパスさせる、請求項１に記載のＴＳ切替装置。
【請求項５】
複数系統のＴＳ（Transport Stream）信号を入力されるＴＳ切替装置に用いられるＴＳ切替方法において、
前記ＴＳ切替装置は、
前記複数系統のＴＳ信号のうちいずれかの系統のＴＳ信号を切替出力する切替部と、
前記ＴＳ信号の前記切替部への入力前段において前記系統ごとのＴＳ信号のタイムスロットを揃えるための遅延部とを具備し、
前記方法は、
少なくとも出力される系統のＴＳ信号に含まれるＴＳパケットごとに緊急情報の有無を検出し、
前記緊急情報を検出されたＴＳパケットを、前記遅延部を経由しない経路にバイパスさせ、
前記バイパスされたＴＳパケットを、前記遅延部を経由したＴＳ信号に多重する、ＴＳ切替方法。
【請求項６】
前記多重することは、前記バイパスされたＴＳパケットを、前記遅延部を経由したＴＳ信号において同じタイムスロットに並ぶＴＳパケットと差し替える、請求項５に記載のＴＳ切替方法。
【請求項７】
前記検出することは、前記ＴＳパケットごとにＰＭＴ（Program Management Table）を解析して緊急警報記述子の有無を検出し、
前記バイパスすることは、前記解析の結果に基づいて、緊急警報に関連するＰＩＤ（Packet Identifier）を含むＴＳパケットを、前記遅延部を経由しない経路にバイパスさせる、請求項５に記載のＴＳ切替方法。
【請求項８】
前記検出することは、前記ＴＳパケットごとに、ＩＩＰ（ISDB-T Information Packet）情報およびＴＭＣＣ（Transmission and Multiplexing Configuration and Control）情報の少なくとも一方を解析して緊急警報放送フラグの有無を検出し、
前記バイパスすることは、前記解析の結果に基づいて、緊急警報に関連するＰＩＤ（Packet Identifier）を含むＴＳパケットを、前記遅延部を経由しない経路にバイパスさせる、請求項５に記載のＴＳ切替方法。
【発明の詳細な説明】
【技術分野】
【０００１】
本発明の実施形態は、入力された複数系統のＴＳ信号からいずれか一系統のＴＳ信号を選択的に出力するＴＳ切替装置と、この装置に用いられるＴＳ切替方法に関する。
【背景技術】
【０００２】
放送局においては、放送波を送信レベルにまで増幅して空間に放射するブロックの前段に、ＴＳ（Transport Stream）信号を出力する装置が設置される。この装置は信頼性を高めるために、複数の系統にわたるＴＳ信号の伝送経路を備えることが多い。この種の装置は例えばＴＳ切替装置と称して知られている。
【０００３】
既存のＴＳ切替装置では、ＴＳ信号に含まれるＴＳパケットのヘッダの先頭を示す４７Ｈｅｘを受信系統ごとに検出する。そして、４７Ｈｅｘの検出タイミングの差に基づいて、先行している系統のＴＳ信号を遅延回路でバッファリングして出力系統を切り替えるようにしている。このようにすることで系統ごとのＴＳ信号の時間差が吸収され、複数系統のＭＰＥＧ２−ＴＳ信号をシームレスに切り替えることができる。
【先行技術文献】
【特許文献】
【０００４】
【特許文献１】特開２００８−２８３４７６号公報
【発明の概要】
【発明が解決しようとする課題】
【０００５】
ところで、緊急警報（緊急地震警報、緊急津波警報など）を伝達するためのＴＳパケットは、その発生から即座に、迅速に送出することが要求される。しかしながら既存のＴＳ切替装置では遅延回路によって緊急警報用のＴＳパケットまでもが遅延されるため、警報の即時性の観点から対策を求められる。  
目的は、緊急警報をその発生から即座に送出することの可能なＴＳ切替装置およびＴＳ切替方法を提供することにある。
【課題を解決するための手段】
【０００６】
実施形態によれば、ＴＳ切替装置は、複数系統のＴＳ（Transport Stream）信号を入力され、切替部と、遅延部と、検出部と、バイパス処理部と、多重部とを具備する。切替部は、複数系統のＴＳ信号のうちいずれかの系統のＴＳ信号を切替出力する。遅延部は、ＴＳ信号の切替部への入力前段において系統ごとのＴＳ信号のタイムスロットを揃える。検出部は、少なくとも出力される系統のＴＳ信号に含まれるＴＳパケットごとに緊急情報の有無を検出する。バイパス処理部は、検出部により緊急情報を検出されたＴＳパケットを、遅延部を経由しない経路にバイパスさせる。多重部は、バイパスされたＴＳパケットを、遅延部を経由したＴＳ信号に多重する。
【図面の簡単な説明】
【０００７】
【図１】実施形態に係わるＴＳ切替装置の一例を示す機能ブロック図。
【図２】比較のため既存のＴＳ切替装置の一例を示す機能ブロック図。
【図３】ＴＳパケットの送出のタイミングの一例を示す図。
【発明を実施するための形態】
【０００８】
図１は、実施形態に係わるＴＳ切替装置の一例を示す機能ブロック図である。以下、実施形態に係わるＴＳ切替装置に符号１００を付してＴＳ切替器１００と称して説明する。ＴＳ切替器１００はＴＳ多重装置と変調器１０との間に設けられる。  
図１において、符号化装置１で生成されたＴＳパケットはＴＳ信号のかたちでＴＳ多重化装置３に入力される。緊急の事態が生じると、緊急情報（緊急警報など）を含む緊急警報ＴＳパケットが緊急警報装置２で生成される。この緊急警報ＴＳパケットはＴＳ多重化装置３に入力されてＴＳ信号に多重される。
【０００９】
ＴＳ切替器１００は冗長化された信号伝達経路を備え、実施形態では２系統の経路を備える。すなわちＴＳ切替器１００には複数系統のＴＳ信号が入力される。一方の系統は緊急警報検出部４、ＰＩＤ抽出部５および遅延回路６を備える。他方の系統は緊急警報検出部４１、ＰＩＤ抽出部５１および遅延回路６１を備える。
【００１０】
各系統のＴＳ信号は切替部７に入力される。切替部７はいずれかの系統のＴＳ信号を選択的に切替出力し、その出力はＴＳ再多重部８に入力される。ＴＳ再多重部８の出力は変調器１０により放送信号用に変調され、送信電力増幅器（図示せず）などを介して放送される。
【００１１】
遅延回路６，６１は各系統からのＴＳ信号が切替部７に入力される手前に設けられる。遅延回路６，６１は各系統のＴＳ信号をバッファリングし、系統ごとのＴＳ信号のタイムスロットを揃える。  
上記構成において、定常時には例えば緊急警報検出部４を含む系統を現用系として運用し、障害時には、緊急警報検出部４１を含む系統が待機系から現用系に切り替えられる。すなわち緊急警報検出部４を含む系統にはＴＳ多重化装置３からのＴＳ信号が入力され、同じ内容のＴＳ信号が冗長系として緊急警報検出部４１を含む系統に入力される。  
なお緊急警報検出部４，４１、ＰＩＤ抽出部５，５１、遅延回路６，６１、切替部７、ＴＳ再多重部８を含むＴＳ切替器１００の機能は、制御部９に書き込まれたソフトウェアにより制御される。
【００１２】
緊急警報検出部４は、少なくとも出力される系統、すなわち現用系のＴＳ信号に含まれるＴＳパケットごとに緊急情報の有無を検出する。具体的には、緊急警報検出部４は、ＴＳパケットに含まれるＰＭＴ（Program Management Table または Program Map Table）、ＩＩＰ（ISDB-T Information Packet）情報、または、ＴＭＣＣ（Transmission and Multiplexing Configuration and Control）情報を解析する。そして、緊急警報記述子や緊急警報放送フラグ（緊急情報と総称する）を検出すると、緊急警報検出部４はその旨とともに検出した内容を制御部９に通知する。
【００１３】
なおＰＭＴには、或る放送プログラムに含まれる画像や音声などの各ＰＩＤが格納される。また緊急警報検出部４は、ＰＡＴ（Program Association Table）を参照するようにしても良い。ＰＡＴは、或るＴＳパケット内に含まれるプログラム一覧をＰＭＴのＰＩＤの一覧により格納したものである。
【００１４】
ＰＩＤ抽出部５は、緊急警報検出部４により緊急情報を検出されたＴＳパケットを、遅延部６を経由しない経路にバイパスさせる。同様にＰＩＤ抽出部５１は、緊急警報検出部４１により緊急情報を検出されたＴＳパケットを、遅延部６１を経由しない経路にバイパスさせる。これらの経路は図１の緊急警報ＴＳパケットと記された矢印により示される。すなわちＰＩＤ抽出部５，５１は、制御部９により予め設定された緊急警報に関連するＰＩＤを含むＴＳパケットを抽出し、抽出したＴＳパケットを緊急警報ＴＳパケットとしてＴＳ再多重部８に伝達する。なおＰＩＤを含まないＴＳパケットはそのまま遅延回路６，６１に入力される。
【００１５】
ＴＳ再多重部８は、バイパスされたＴＳパケットを、遅延部６，６１を経由したＴＳ信号に多重する。すなわちＴＳ再多重部８は緊急警報放送中の通知を制御部９から受け、遅延回路６または６１、および切替部７を経由して到達したＴＳパケットに、ＰＩＤ抽出部５から伝達された緊急警報ＴＳパケットを再多重して変調器１０に送る。  
ＴＳ再多重部８は、バイパスされたＴＳパケットを、遅延部６，６１を経由したＴＳ信号において同じタイムスロットに並ぶＴＳパケットと例えば差し替えることで多重処理を行う。なお図１においては、緊急警報ＴＳパケットが現用系および待機系の双方からＴＳ再多重部８に入力される経路が示される。そこでＴＳ再多重部８は切替スイッチ（図示せず）をその内部に備え、切替スイッチを一方の系統に接続することで、一つの系統からの緊急警報ＴＳパケットをＴＳ信号に多重する。
【００１６】
次に上記構成における作用を説明する。比較のため、まず既存のＴＳ切替装置の構成を概略的に説明する。  
図２は、比較のため既存のＴＳ切替装置の一例を示す機能ブロック図である。図２において緊急警報装置２で生成されたＴＳパケットは、ＴＳ多重装置３において符号化装置１からのＴＳ信号と多重されたのち、ＴＳ切替器２００の遅延回路６または６１に入力される。緊急警報を多重されたＴＳ信号は遅延回路６，６１における一定期間のバッファリングののち、切替部１１を経て変調器１０に出力される。これにより現用系、予備系の切替に際して映像をシームレスに切り替えることができる。
【００１７】
図３は、ＴＳパケットの送出のタイミングの一例を示す図である。図３（ａ）は既存の技術によるタイミングを示し、図３（ｂ）は実施形態におけるタイミングを示す。図３（ａ）に示される既存技術では遅延回路６，６１により全てのパケットが同じ遅延期間（例えばＮ秒とする）だけ遅延されるので、緊急警報放送も遅延時間Ｎ秒だけ遅延されることになる。
【００１８】
これに対し実施形態によれば、図３（ｂ）に示されるように、緊急警報を含まないＴＳパケットがＮ秒遅延しているのに対し、ＰＭＴと緊急警報は遅延なく送出することが可能となる。すなわち緊急警報に係わるＰＭＴを含むＴＳパケット、緊急警報を含むＴＳパケットは、同じタイムスロットに位置するＴＳパケットと差し替えられる。これにより特定のＰＩＤにより示される緊急警報ＴＳパケットが、その発生から遅延なく送出されるようになる。
【００１９】
以上説明したようにこの実施形態では、複数系統のＴＳ信号を入力されいずれかの系統のＴＳ信号を切替出力する切替部７と、ＴＳ信号の切替部７への入力前段において系統ごとのＴＳ信号のタイムスロットを揃えるための遅延部６，６１とを備えるＴＳ切替器１００において、ＴＳパケットごとに緊急情報の有無を検出し、緊急情報を検出されたＴＳパケットを遅延部６，６１を経由しない経路にバイパスさせたうえで、遅延部６，６１を経由したＴＳ信号に多重するようにしている。  
このようにしたので、緊急警報に限っては本来の位置において送出することができ、緊急警報をその発生から即座に送出することの可能なＴＳ切替装置およびＴＳ切替方法を、簡易に提供することが可能となる。
【００２０】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２１】
１００…ＴＳ切替器、１…符号化装置、２…緊急警報装置、３…ＴＳ多重化装置、４，４１…緊急警報検出部、５，５１…ＰＩＤ抽出部、６，６１…遅延回路、７…切替部、８…ＴＳ再多重部、９…制御部、１０…変調器、１１…切替部、２００…ＴＳ切替器
【図１】
2013005401.tif 000003
【図２】
2013005401.tif 000004
【図３】
2013005401.tif 000005